(57)【要約】【課題】記録素子が配列された記録ヘッドを操作して記録を行うとともに、形成された画像の後端付近で記録媒体をカットするカッタを備えた記録装置において、特別な設計や機構を要することなく、頁先後端に様々に設定され得る余白量に対応しながら、記録媒体のカット時間の短縮によるスループットの向上を図る。【解決手段】次頁に対して連続して画像形成を行う際、前頁後端に対するカット動作を保留し、次頁に対する画像形成を開始する。このとき、その画像形成過程においてｎ回の搬送が行われたときにカットを行う位置とカッタの位置とが一致するよう、ｎ回の搬送のうち少なくとも１回の搬送量とｎ回の記録走査のうち少なくとも１回の記録動作に用いられる記録素子の範囲とを調整する。そして、カット位置とカッタの位置とが一致したときに、記録ヘッドの走査とカッタによるカット動作とが並行して行われるようにする。【選択図】図１０
2011131492.tif 000002
【特許請求の範囲】
【請求項１】
記録素子を配列してなる記録ヘッドを記録媒体に対して移動させながら記録を行う記録動作と、前記記録動作の移動方向と交差する方向に記録媒体を搬送動作とを繰り返すことにより、前記記録媒体に画像の形成を行う記録装置において、
前記記録ヘッドとは前記記録媒体の搬送方向において一定の距離を持って設けられ前記記録媒体をカットするカッタと、
前記搬送動作による前記カットが行われる位置に対する移動量と、前記搬送動作による前記カットが行われる位置に対する前記記録媒体の搬送方向上流または下流側の一定領域における少なくとも１回の搬送動作の搬送量とが一致するよう前記記録素子の配列のうち記録動作に使用される前記記録素子の使用範囲をいずれかの前記記録動作で調整する制御手段と、を具えたことを特徴とする記録装置。
【請求項２】
前記カッタは、前記記録ヘッドとは別に前記交差する方向に移動して前記カットを行うべく動作するものであり、前記カットが行われる位置と前記カッタの位置とが一致したときに、前記記録ヘッドによる記録動作と前記カッタによるカット動作とが並行して行われるようにしたことを特徴とする請求項１に記載の記録装置。
【請求項３】
前記制御手段は、前記搬送方向上における、前記カットが行われる位置と、前記カッタの位置と、前記部分の後端の余白量と、前記他の部分の先端の余白量と、前記調整を伴わずに前記搬送動作を行う際の搬送量と、を含むパラメータに基づいて、前記調整を行うことを特徴とする請求項１または２に記載の記録装置。
【請求項４】
記録素子を配列してなる記録ヘッドを記録媒体に対して移動させながら記録を行う記録動作と、前記記録動作の移動方向と交差する方向に記録媒体を搬送動作とを繰り返すことにより、前記記録媒体に画像の形成を行うとともに、前記記録ヘッドとは前記記録媒体の搬送方向において一定の距離を持って設けられ前記記録媒体をカットするカッタを用いる記録装置の制御方法において、
前記搬送動作による前記カットが行われる位置に対する移動量と、前記搬送動作による前記カットが行われる位置に対する前記記録媒体の搬送方向上流または下流側の一定領域における少なくとも１回の搬送動作の搬送量とが一致するよう前記記録素子の配列のうち記録動作に使用される前記記録素子の使用範囲をいずれかの前記記録動作で調整することを特徴とする記録装置の制御方法。
【発明の詳細な説明】
【技術分野】
【０００１】
本発明は、記録素子を配列してなる記録ヘッドを記録媒体に対して移動させながら記録を行う記録動作と、上記配列の方向と交差する方向に記録媒体を搬送動作とを繰り返すことにより画像の形成を行う所謂シリアル方式の記録装置およびその制御方法に関する。特に本発明は、形成された画像の後端付近で記録媒体をカットする機構（カッタ）を具えた構成に適用して好適なものであり、記録媒体のカット時間の短縮を図る技術に関するものである。なお、本明細書において「画像」とは、カットされることにより分離される記録媒体部分の１頁に形成されるものを言い、その内容としては文字、記号、図形、グラフ、表、絵および写真など、広義の画像を含むものである。
【背景技術】
【０００２】
上記シリアル方式の記録装置を用い、例えばロール紙など連続紙形態の記録媒体に連続して複数頁分の画像を形成して行く場合を考える。この場合、１頁分の画像形成後には、記録ヘッドよりも記録媒体搬送方向の下流側に設けたカッタに対応する位置まで記録媒体を搬送し、画像後端付近で記録媒体がカットされる。ここで、カット位置と、次頁となる記録媒体部分に形成すべき画像の先端位置との関係によっては、記録媒体を逆方向に搬送（逆送）し、所望の記録開始位置に設定する動作が必要となるため、記録のスループットの低下が生じることになる。
【０００３】
そのような問題を解決するため、特許文献１には、記録素子の配列範囲の幅（バンド）のｎ倍（ｎは自然数）に所定長を加えた距離を置くよう、記録媒体搬送方向における記録ヘッドとカッタとの位置関係を予め定めた記録装置の構成が開示されている。そして、前頁の画像形成後におけるカット動作を保留し、上記所定長に対応した分の記録媒体搬送を行って次頁に対する画像形成動作を開始し、ｎ回の搬送（ｎバンド分の搬送）の終了後に前頁後端（次頁先端）に対するカット動作を行う技術が記載されている。つまり、特許文献１においては、バンドの大きさと、予め想定していた前頁の後端余白および次頁の先端白とから、ｎバンド分の搬送終了時に所期のカット位置とカッタ位置とが一致するよう、予めカッタ位置を固定的に設計している。これによれば、記録媒体の逆送を必要としない分、スループットを向上することが可能となるとされている。
【０００４】
しかしながら、頁の先後端に設けられる余白量は一律ではなく、記録される画像の内容やユーザの要望に応じて様々に異なっていることが一般的である。従って、特許文献１に開示の技術では、頁の先後端に設定される余白量によっては、ｎバンド分の搬送終了後に所期のカット位置とカッタ位置とが一致しない場合が存在する。また近年では、記録速度向上を目的として広い範囲にわたって記録素子を配列してなる記録ヘッドが用いられることが多くなってきており、従ってバンドの大きさも増大する傾向にある。このため、バンドの大きさを単位としてカッタ位置を設計している特許文献１においては、カッタの配置に自由度が大きく制限されてしまう。
【０００５】
これに対し、特許文献２には、記録ヘッドに対する記録媒体搬送方向におけるカッタの位置を調整可能な機構を設けた記録装置の構成が開示されている。そして、前頁の画像形成後におけるカット動作を保留して、次頁に対する画像形成動作を開始し、所定の搬送終了時において、所期のカット位置にカッタ位置が一致するように調整を行うようにした技術が記載されている。しかしながら、かかる特許文献２においては、カッタの位置自体が可変となるように調整を行う機構を要する分、記録装置の構成の複雑化、大型化および高価格化を伴うことになる。
【先行技術文献】
【特許文献】
【０００６】
【特許文献１】特開平４−３５５１７１号公報
【特許文献２】特許第０３９４５６７５号公報
【発明の概要】
【発明が解決しようとする課題】
【０００７】
よって本発明は、特別な設計や機構を要することなく、頁先後端に様々に設定され得る余白量に対応しながら、記録媒体のカット時間の短縮によるスループットの向上を実現できるようにすることを目的とする。
【課題を解決するための手段】
【０００８】
そのために、本発明は、記録素子を配列してなる記録ヘッドを記録媒体に対して移動させながら記録を行う記録動作と、前記記録動作の移動方向と交差する方向に記録媒体を搬送動作とを繰り返すことにより、前記記録媒体に画像の形成を行う記録装置において、
前記記録ヘッドとは前記記録媒体の搬送方向において一定の距離を持って設けられ前記記録媒体をカットするカッタと、
前記搬送動作による前記カットが行われる位置に対する移動量と、前記搬送動作による前記カットが行われる位置に対する前記記録媒体の搬送方向上流または下流側の一定領域における少なくとも１回の搬送動作の搬送量とが一致するよう前記記録素子の配列のうち記録動作に使用される前記記録素子の使用範囲をいずれかの前記記録動作で調整する制御手段と、を具えたことを特徴とする。
【０００９】
また、本発明は、記録素子を配列してなる記録ヘッドを記録媒体に対して移動させながら記録を行う記録動作と、前記記録動作の移動方向と交差する方向に記録媒体を搬送動作とを繰り返すことにより、前記記録媒体に画像の形成を行うとともに、前記記録ヘッドとは前記記録媒体の搬送方向において一定の距離を持って設けられ前記記録媒体をカットするカッタを用いる記録装置の制御方法において、
前記搬送動作による前記カットが行われる位置に対する移動量と、前記搬送動作による前記カットが行われる位置に対する前記記録媒体の搬送方向上流または下流側の一定領域における少なくとも１回の搬送動作の搬送量とが一致するよう前記記録素子の配列のうち記録動作に使用される前記記録素子の使用範囲をいずれかの前記記録動作で調整することを特徴とする。
【発明の効果】
【００１０】
本発明によれば、特別な設計や機構を要することなく、頁先後端に様々に設定され得る余白量に対応しながら、記録媒体のカット時間の短縮によるスループットの向上を実現できる。
【図面の簡単な説明】
【００１１】
【図１】本発明を適用可能なインクジェット記録装置の一実施形態を説明するための模式的正面図である。
【図２】本発明を適用可能なインクジェット記録装置の一実施形態を説明するための模式的側面図である。
【図３】本発明の実施形態に係るインクジェット記録装置の制御系の構成例を示すブロック図である。
【図４】本発明の実施形態に係るインクジェット記録装置が実行する機能およびデータの流れを説明するための機能ブロック図である
【図５】本発明の実施形態に係る頁後端での処理手順の一例を示すフローチャートである。
【図６】本発明の実施形態に係るカット動作を詳細に説明するためのインクジェット記録装置の主要部の模式的上面図である。
【図７】本発明の実施形態に係るカット動作を詳細に説明するためのインクジェット記録装置の主要部の模式的上面図である。
【図８】本発明の実施形態に係るカット動作を詳細に説明するためのインクジェット記録装置の主要部の模式的上面図である。
【図９】本発明の実施形態に係るカット動作を詳細に説明するためのインクジェット記録装置の主要部の模式的上面図である。
【図１０】本発明の実施形態に係るカット動作を詳細に説明するためのインクジェット記録装置の主要部の模式的上面図である。
【図１１】（ａ）〜（ｄ）は、本発明の他の実施形態を説明するための説明図である。
【発明を実施するための形態】
【００１２】
以下、図面を参照して本発明の実施の形態を詳細に説明する。
【００１３】
（機械的構成）
図１は、本発明を適用可能なインクジェット記録装置の一実施形態を説明するための模式的正面図であり、装置主要部を記録媒体搬送方向下流側から見た状態を示している。また、図２は同じく模式的側面図であり、装置主要部を記録媒体搬送方向に直交する方向から見た状態を示している。
【００１４】
キャリッジ１０５には記録ヘッド１０７が搭載されている。記録ヘッド１０７は、例えば、ロール紙状の記録媒体１０９に対してフルカラー記録を行うべく、ブラック（Ｋ）、シアン（Ｃ）、マゼンタ（Ｍ）およびイエロー（Ｙ）のインクを吐出するための吐出部１０７Ｋ、１０７Ｃ、１０７Ｍおよび１０７Ｙを有している。これらの吐出部１０７Ｋ、１０７Ｃ、１０７Ｍおよび１０７Ｙは、キャリッジ１０５の移動方向と交差する方向、例えば記録媒体搬送方向に、所定範囲にわたってノズルを配列してなるものである。なお、記録ヘッド１０７に設けられる吐出部の個数や、色調（色、濃度）の種類および吐出する液体の種類などはあくまでも例示であることは言うまでもない。また、ノズルとは、特にことわらない限り、吐出口、これに連通する液路およびインク吐出に利用されるエネルギを発生するための素子を総称して言うものとする。
【００１５】
キャリッジ１０５は、図示しないガイドに沿って図１の左右方向に往復移動可能に支持されている。キャリッジ１０５の往復移動は、モータ１０１により回転駆動されるプーリ１０２に懸架されたベルト１０３により行われる。キャリッジ１０５には、記録媒体１０９の左右側端部を測定する光学式のセンサユニット１０８が搭載されている。キャリッジ１０５の移動方向に沿ってリニアスケール１０４が配置されており、そのスケール１０４に形成されたスリットをキャリッジ１０５に搭載されたリニアスケールセンサ１０６が検知する。そして、キャリッジ１０５の位置ないし記録ヘッド１０７のインク吐出タイミングは、主としてリニアスケール１０４およびリニアスケールセンサ１０６からなるリニアエンコーダの出力に基づいて管理される。例えば、キャリッジ１０５がリニアスケール１０４上のある位置を通過した時点でインクの吐出制御を開始し、キャリッジ１０５がリニアスケール１０４の特定のスリットを通過するタイミングで各色インクの吐出を行わせるような制御が行われる。また、キャリッジ１０５がリニアスケール１０４上のある位置を通過した時点で、インク吐出制御を終了するなどの制御が行われる。なお、上記インクの吐出開始および終了位置は、光学式センサ１０８および１１１によってそれぞれ検出される記録媒体側端部の位置および余白量などによって制限され、記録を行うべく予め作成された画像データに基づいて設定される。符号１１０は、記録ヘッド１０７の移動過程で行われる記録動作（以下、記録走査とも言う）に際して記録媒体１０９の被記録面を平坦な状態に維持するためのプラテンである。
【００１６】
本実施形態の記録装置にはカッタユニット１１４が設けられ、図示しないガイドに沿って記録媒体の幅方向（図１の左右方向）に往復移動可能となっている。そして、その往復移動の少なくとも一方への移動時に、カッタユニット１１４の刃が記録媒体１０９を切断（カット）して行く。プラテン１１０には、カット時に記録媒体１０９の被記録面の裏面から突出するカッタユニット１１４の刃の先端部の通過を許容する（刃とプラテン１１０の記録媒体支持面との干渉を防止する）ためのカッタ溝１１５が記録媒体の幅方向に設けられている。つまり、記録ヘッド１０７に対する、記録媒体搬送方向におけるカッタユニット１１４の刃の位置すなわちカッタ溝１１５の位置は固定されたものである。
【００１７】
（制御系の構成）
図３は、本発明の実施形態に係るインクジェット記録装置の制御系の構成例を示すブロック図である。図３において、図１および図２にその主要部を示したインクジェット記録装置３０１と、これに対する画像データの供給源をなすコンピュータ等のホスト装置（ホストコンピュータ）３０２とは、それぞれ共通のネットワーク３０３に接続されている。すなわち、インクジェット記録装置形態の記録装置３０１は、ホストコンピュータ３０２よりネットワーク３０３を通じて送信された画像データを受信し、これを解析して画像形成処理を行う。
【００１８】
ホストコンピュータ３０２から送信されたデータやコマンドはインターフェイス（ホストＩ／Ｆ）３０５を介してＣＰＵ３０６に受信される。ＣＰＵ３０６は、記録装置３０１のデータの受信、記録走査、記録媒体１０９のハンドリング等、全般の制御を掌る演算処理装置である。ＣＰＵ３０６は、受信したコマンドを解析した後に、メモリコントローラ３０８Ａを介して画像データをＲＡＭ３０８に展開する。さらに、記録ヘッド１０７（各色吐出部１０７Ｋ、１０７Ｃ、１０７Ｍおよび１０７Ｙ）で記録するデータをプリントバッファ３０９に展開する。なお、ＲＡＭ３０８は、ＣＰＵ３０６による処理の過程で作業用のメモリとしても使用される領域を有する。ＣＰＵ３０６は、ＲＯＭ３０７に記憶された処理プログラムをインターフェイス（ＲＯＭ  Ｉ／Ｆ）３０７Ａを介して読み出し、これに基づいて各部を制御する。ＲＯＭ３０７には、図５について後述する処理手順等に対応した処理プログラムや、所要の固定データを格納するテーブルなどが記憶されている。
【００１９】
記録装置３０１には、所要の動作を行う前提となる状態検出を行うためにセンサ群３１３が設けられる。センサ群３１３には、上述した記録媒体の左右側端部を測定するセンサユニット１０８、キャリッジ１０５の位置等を検出するリニアスケールセンサ１０６、および、記録媒体の搬送量や余白量を検出するセンサを検出するセンサ（ＬＦセンサなどが含まれる。記録装置３０１にはまた、上述したキャリッジモータ１０１のほか、記録媒体１０９の搬送の駆動源をなす搬送モータ３１２や、買ったユニット３１４の移動の駆動源をなすカッタモータ３１４などが配設される。
【００２０】
図４は、ハードウェア上は上記ＣＰＵ３０６、ＲＯＭ３０７およびＲＡＭ３０８等を有して構成される制御ユニット４０１が実行する機能を説明するための機能ブロック図である。制御ユニット４０１は、データ受信部４０３、画像データ解析部４０４、画像情報管理部４０５、記録制御部４０６、ヘッド制御部４０７、キャリッジ駆動制御部４０９、記録媒体の搬送制御部４１１および記録媒体のカット制御部４１３と、を備えている。
【００２１】
画像データ受信部４０３は、ホストコンピュータ３０２から供給される画像データ４０２等の外部入力データを受信し、当該入力データは画像データ解析部４０４にて解析され、記録装置側で制御可能なデータ群へと変換される。
【００２２】
画像情報管理部４０５は、画像データ解析部４０４によって解析および変換されたデータより、画像データのサイズ、記録媒体の種類に関する情報、マルチパス記録に関する情報、記録媒体搬送量の補正値等、画像形成処理に付随する情報の管理を行う。なお、マルチパス記録には、記録ヘッドの１回の記録走査毎にノズル配列幅（バンド幅）分の搬送を行わず、一記録領域に対して複数回記録走査を行ってから搬送を行う場合が含まれる。また、１回の記録走査毎に所定のマスクによって間引かれたデータを記録してから１バンド未満の搬送を行い、再度記録走査を行うことで、一記録領域に対し記録に関与するノズルを異ならせた複数回の記録走査と搬送とを行う場合も含まれる。つまり、マルチパス記録とは、同一の記録領域に対し、複数回に分けてインクを付与することにより記録を行うものである。以下では、原則的に、記録媒体１０９上の同一の記録領域を記録ヘッド１０７の１回の移動で完成させる記録走査と、バンド幅分の記録媒体１０９の搬送とを繰り返しながら画像の形成を行う１パス記録について説明する。しかし本発明は、マルチパス記録に対しても適用可能であることは勿論である。
【００２３】
記録制御部４０６は、記録装置としての基本的な動作を制御する部分であり、画像情報管理部４０５により管理されているデータに基づき、記録のための信号処理および記録走査機構の駆動処理などの制御を行う。記録制御部４０６において、一頁の画像形成終了後、画像情報管理部４０５の管理情報に基づいて次頁のデータが存在すると判定された場合には、カット動作を保留する。そして、次頁目以降の画像形成過程におけるバンド幅単位ｎ回（ｎは自然数）の搬送が行われたときに前頁後端の所期のカット位置とカッタ位置とが一致するよう、次頁の最初の記録走査におけるノズル使用範囲を設定する。つまり、ｎ回の搬送を実行した後に、カット動作と記録走査とが並行して行われるようにする制御を行う。
【００２４】
ヘッド制御部４０７は記録ヘッド１０７を制御する部分であり、記録制御部４０６の指令に基づくインク吐出処理のほか、必要に応じて記録ヘッド１０７ないしインクの温度管理等を行う。キャリッジ駆動制御部４０９は、記録制御部４０６の指令に基づいて、記録ヘッド１０７の位置を制御するキャリッジモータ１０１の制御を行う。搬送制御部４１１は、記録制御部４０６の指令に基づいて搬送モータ３１２を駆動することで、記録媒体１０９の搬送制御を行う。記録媒体カット制御部４１３は、記録制御部４０６の指令に基づいてカッタモータ３１４を駆動し、記録媒体のカット動作を行わせる。
【００２５】
（カット動作）
図５は、記録制御部４０６にて実行される頁後端での処理手順の一例を示すフローチャートである。まず、ステップＳ１では画像情報管理部４０５による管理情報に基づいて、次頁について形成すべき画像データの有無を確認する。ステップＳ２では当該画像データがあるか否かを判定し、肯定判定である場合にはステップＳ３へ、否定判定の場合にはステップＳ７へ分岐する。
【００２６】
ステップＳ３〜Ｓ５では、次頁目以降の画像形成過程におけるバンド幅単位のｎ回の搬送終了時点で前頁後端の所期のカット位置とカッタ位置とが一致するようにするための算出処理を行う。すなわち、ステップＳ３では、次頁の画像形成開始からの所要の搬送回数ｎを算出する。また、ステップＳ４では、各吐出部のノズル配列範囲の全体から、次頁の最初の記録走査に適用するノズル使用範囲を設定する。ここで、ノズル使用範囲は、その範囲において搬送方向最上流に位置するノズルまたは最下流に位置するノズルから、それぞれ下流側または上流側にあるノズルの個数を指定することで設定することができる。ステップＳ５では、次頁の画像形成時の最初の記録走査を行うべき位置を算出する。これらの算出処理を行うことにより、後述のようにカット動作と記録走査とを並行して行うことが可能となる。
【００２７】
ステップＳ６では、ステップＳ５にて算出した位置へ記録媒体を搬送する。これは、次頁について形成すべき画像データがあるとステップＳ２で判定された場合に従って行われる処理である。そして、以降はステップＳ４にて設定したノズル使用範囲を次頁の最初の記録走査に適用して記録を行い、ステップＳ３にて算出したｎ回の搬送終了時点で、後述するようにカット動作と記録走査とが並行して行われる。これにより、次頁についての画像形成を連続して行う場合において、記録媒体の逆送を要さないために、記録のスループットを向上することが可能となる。一方、次頁について形成すべき画像データがないとステップＳ２で判定された場合にはステップＳ７に進み、前頁の後端に設定される余白量に基づいて記録媒体を搬送し、所期のカット位置でのカット動作を行ってからステップＳ６に進むことになる。この場合は、ステップＳ６にて次頁の先端に設定される余白量に基づいて記録媒体を逆送することになるが、次頁についての画像形成を連続して行うものではないので、記録のスループットの低下は問題とならない。
【００２８】
図６〜図１０は、インクジェット記録装置の主要部の模式的上面図であり、これらの図を用いて本実施形態に係るカット動作をより詳細に説明する。なお、これらの図においてＣは記録媒体の搬送方向を示し、便宜上、その上流側および下流側をそれぞれ各図の下側および上側に向けた状態で示している。また、記録ヘッド１０７の各吐出部には、記録媒体の搬送方向Ｃに、１インチ（参考値。約２５．４ｍｍ）の範囲にわたり、１２００ｄｐｉ（ドット数／インチ）の密度でノズル６０３が配列されているものとする。さらに、１頁の画像形成過程において記録走査間で行われる記録媒体の搬送の量は、基本的にノズル配列幅である２５．４ｍｍ分とする。また、カッタ溝１１５は、ノズル配列範囲のうち最下流側に位置するノズルよりさらに１００ｍｍ下流側に位置するものとする（以下では、カッタ溝１１５と配列範囲の最下流に位置するノズルとの距離をカッタ距離と称する）。
【００２９】
キャリッジ１０５に搭載された記録ヘッド１０７は、図６〜図１１において左右方向に往復移動が可能である。そして、その少なくとも一方への移動過程において、画像データに従ってノズル６０３からインクを選択的に吐出することにより、バンド幅（２５．４ｍｍ）分の記録を行う。その後、記録媒体はそのバンド幅分搬送されて停止される。これらの動作を繰り返すことで、１頁についての画像形成が行われる。ここで、次頁についての画像形成を行う場合には、上述した処理により、画像形成が完了した頁の後端でのカット動作は保留される。また、上述したステップＳ４およびＳ５の処理により、次頁の画像形成過程においてｎ回の搬送が行われたときにカット位置とカッタ位置とが一致するよう、次頁の最初の記録走査を行う位置までの搬送量とノズル使用範囲とが設定されている。そして、最初の記録走査を行う位置へ記録媒体を搬送し、設定されているノズル使用範囲を次頁の最初の記録走査に適用して記録を行い、以降はバンド単位の記録走査と搬送とを繰り返し、ｎ回の搬送終了時点でカット動作と記録走査とが並行して行われる。
【００３０】
図７は、画像形成の対象であった現在頁（以下、第１頁）に対する最終の記録走査終了直後の記録媒体、その後端カット位置、および次に画像形成の対象となる頁（以下、第２頁）の画像先頭位置（画像描き出し位置）を示したものである。ここで、第１頁の後端余白が５ｍｍであり、最終の記録走査がノズル配列範囲の全体を用いて行われたとした場合、第１頁の後端のカット位置は、最上流側にあるノズルの位置よりさらに５ｍｍ上流側に存在する。このとき、カッタ溝１１５の位置（以下、カッタ位置）６０５から第１頁の後端のカット位置までの距離は、
カッタ距離（１００ｍｍ）＋最終記録走査の使用ノズル範囲（２５．４ｍｍ）＋後端余白（５ｍｍ）＝１３０．４ｍｍ
となる。また、第２頁の画像描き出し位置は、カッタ位置６０５から第１頁の後端カット位置までの距離（１３０．４ｍｍ）よりさらに第２頁の先端余白を加算したものであるため、当該先端余白が５ｍｍであれば、１３５．４ｍｍとなる。
【００３１】
図８には、第２頁の画像形成過程におけるバンド幅単位の搬送が行われたときに第１頁の後端の所期のカット位置とカッタ位置６０５とが一致するように設定した、第２頁の最初の記録走査で使用されるノズルの範囲が図示されている。このときの第１頁の後端のカット位置は、ｎ回の記録媒体搬送によってカッタ位置６０５と一致し、第２頁の画像描き出し位置は、ノズル配列範囲の最下流ノズルと最上流ノズルとの間に位置する。記録走査間で行われる基本搬送量を２５．４ｍｍとし、図８におけるカッタ位置６０５から第１頁後端のカット位置までの距離を２５．４×ｎ（ｍｍ）と表すと、カッタ位置６０５から第２頁の画像描き出し位置までの距離は２５．４×ｎ＋５（ｍｍ）となる。カッタ位置６０５から最下流ノズルまでの距離（カッタ距離）は１００ｍｍであるので、カッタ位置６０５から最上流ノズルまでの距離は、さらにノズル配列範囲の幅を加算した距離である１２５．４ｍｍとなる。よって、
１００≦２５．４×ｎ＋５＜１２５．４
より、ｎ＝４となるので、ｎ＝４を代入することで図８の位置関係が導出される。
【００３２】
従って、第２頁の最初の記録走査で使用されるノズルの範囲は次のように求められる。すなわち、画像描き出し位置（カッタ位置から１０１．６＋５＝１０６．６（ｍｍ））から最上流ノズル位置（カッタ位置から１００＋２５．４＝１２５．４（ｍｍ））までの距離（１２５．４−１０６．６＝１８．８（ｍｍ））をノズル配列密度（１２００ｄｐｉ）に換算したもの（８８８ノズル）となる。
【００３３】
以上が図５のフローチャートにおけるステップＳ３の処理（搬送回数算出）、ステップＳ４の処理（使用ノズル範囲の設定）およびステップＳ５の処理（画像描き出し位置の算出）に相当する。これらの算出値に基づき、図８の位置関係にて第２頁の最初の記録走査を行い、４回目の記録媒体搬送により第１頁後端の所期のカット位置とカッタ位置６０５とが一致した状態を示すものが図９である。そして、図９の状態から、図１０に示すように、カッタユニット１１４とキャリッジ１０５とを同時に駆動させ、カット動作と記録動作とを並行して実行する。
【００３４】
以上により、カット処理に要していた時間を削減することが可能となる。カット処理に、第１頁後端の所期のカット位置への記録媒体の搬送、カッタユニット１１４の駆動による実際のカット動作、および第２頁画像描き出し位置への記録媒体の逆送が含まれる場合、本実施形態に相当する規模の記録装置では１．５秒〜２秒を要していた。すなわち本実施形態によれば、１頁当たり１．５秒〜２秒のスループット向上が可能となるのである。また本実施形態には、様々な量に設定され得る頁先後端の余白にフレキシブルに対応でき、かつ、その対応を行うために記録装置の構成の複雑化、大型化および高価格化を招来しないという利点がある。
【００３５】
（その他）
以上の実施形態では、次頁の画像形成過程においてｎ回の搬送が行われたときにカット位置とカッタ位置とが一致するよう、次頁の最初の記録走査のノズル使用範囲を調整した。しかしそのようにノズル使用範囲を調整する記録走査は、ｎ回（１回以上）の搬送に対応して行われるｎ回の記録走査の１以上において適宜定めることができる。
【００３６】
図１１（ａ）〜（ｄ）は、そのいくつかの例を示すもので、ＳＣ１〜ＳＣ５は第２頁Ｐ２のカット位置となる先端側からの記録走査の番号である。なお、これらは上述と同様ｎ＝４の場合に対応する例であり、５回目の記録走査ＳＣ５以降は記録媒体のカット後に行われ、基本的な搬送量が採用されるものとしてある。図１１の（ａ）は上記実施形態に対応し、最初に行われる記録走査においてノズル使用範囲を調整したものである。（ｂ）は、いずれか１回の記録走査においてノズル使用範囲を調整する場合の例であり、ここでは３番目に行われる記録走査を調整の対象としている。（ｃ）は、いずれか２回の記録走査においてノズル使用範囲を調整する場合の例であり、ここでは２番目および４番目に行われる記録走査を調整の対象としている。（ｄ）は４回の記録走査をすべて調整対象としたものである。
【００３７】
なお、ノズル使用範囲の調整量は、対象となる記録走査の数に応じて適宜設定できることは勿論である。また、２以上の記録走査を対象とする場合において、調整量を一律とするのではなく、互いに異ならせてもよい。特に、例えばｎ回の記録走査のすべてを調整対象とする場合において、使用ノズル数が漸増または漸減するような、あるいはランダムにけんかするような調整を行うこともできる。使用ノズル数の調整によって先端側での画像濃度のむらが懸念される場合、以上のような実施形態のいずれかを適宜選択することが有効であることも考えられるからである。いずれの場合においても、使用ノズル数の調整に伴って搬送量を適宜変更することができる。
【００３８】
また、上記実施形態においては、使用ノズル数の調整を行うために必要な数値はあくまでも例示である。すなわち、当該数値は、前頁の後端余白量および最終記録走査の使用ノズル範囲の大きさ、カッタ位置、および第２頁の先端余白量等のパラメータより適宜算出されるものであり、またそれらのパラメータについても上例に限られないことは勿論である。
【００３９】
さらに、頁の大きさ（搬送方向の寸法）によっては、調整の対象となる記録媒体の他の部分を、直後の頁（第２頁）ではなくそれ以降の頁とし、その画像形成処理の過程において第１頁後端のカット動作が行われるようにすることもできる。また、記録媒体としても、上述したようなロール紙のみを画像形成の対象とするものではない。ファンフォールド紙のような連続紙が用いられるものでもよいし、カットシート形態の記録媒体を適宜カットするものであってもよい。
【００４０】
加えて、上例においては、カッタユニット１１４をキャリッジ１０５とは異なる機構で駆動するものとした。しかし、例えばカッタユニット１１４をキャリッジ１０５に設けるとともに、その刃を適時突出・後退可能に設け、カット動作のタイミングに至ったときに吐出動作とカット動作とが同時に行われるようにすることも可能である。ただし、カット動作に伴う振動がキャリッジに及ぶことで吐出の乱れが懸念されるのであれば、同じ搬送方向上の同一位置において記録走査とカット動作とを別のタイミングで行うようにすればよい。この場合、本来のカット動作の時間は短縮されないが、記録媒体の逆送は伴わないので、その分の時間短縮が可能である。
【００４１】
さらに加えて、上例ではカッタ溝１１５に沿って移動する形態のカッタを用いたが、記録媒体の搬送が停止されている状態でカット動作を行うものであれば、いかなるものも用いることができる。例えばギロチン式のカッタが用いられるものでもよい。
【００４２】
また、上例では複数色のインクを吐出するための吐出部を有した記録ヘッドを用いる構成について説明したが、吐出部の個数や色調（色、濃度）の種類および吐出する液体の種類などは適宜定め得るものである。さらに、本発明記録装置およびその制御方法は、そのようなインクジェット記録装置形態の記録装置のみを適用対象とするものではない。すなわち、記録素子を配列してなる記録ヘッドの記録走査と、上記配列の方向と交差する方向への搬送動作とを繰り返すことにより画像の形成を行うシリアル方式の記録装置であれば、記録方式によらずどのようなものにも適用が可能である。
【符号の説明】
【００４３】
１０５  キャリッジ
１０７  記録ヘッド
１０９  記録媒体
１１４  カッタユニット
１１５  カッタ溝
４０１  制御装置
４０６  記録制御部
４１３  カット制御部
６０５  カッタ位置
【図１】
2011131492.tif 000003
【図２】
2011131492.tif 000004
【図３】
2011131492.tif 000005
【図４】
2011131492.tif 000006
【図５】
2011131492.tif 000007
【図６】
2011131492.tif 000008
【図７】
2011131492.tif 000009
【図８】
2011131492.tif 000010
【図９】
2011131492.tif 000011
【図１０】
2011131492.tif 000012
【図１１】
2011131492.tif 000013